(57)【要約】      （修正有）【課題】スマートフォン上にて撮影操作や撮影角度の調整が可能な卓上カメラを提供する。【解決手段】ユニット１とサブユニット５は支柱８により内部で貫通接続され、ユニット１はカメラレンズ２、イメージセンサ、ジャイロセンサ、フラッシュＬＥＤ、ＬＥＤモジュールで構成し、サブユニット５は、モーター４、小ギア７、バッテリー、外部電源ユニット、タッチパネルを搭載した液晶画面６、内部記録媒体及び外部記録媒体用スロット、無線モジュール、電源ユニット、バッテリーで構成し、支柱８を軸に、サブユニット５からユニット１を、３６０度の範囲で縦回転に稼動し、縦回転されたユニット１の傾き具合をサブユニット５にあるジャイロセンサで自動検出し、撮影映像データの上下左右位置をジャイロセンサの判定により修正し、撮影映像データを、サブユニット５の液晶画面６や、無線モジュールを使用してスマートフォンの画面へと送り表示する。【選択図】図１
2017134379.tif 000002
【特許請求の範囲】
【請求項１】
ユニットとサブユニットは支柱により内部で貫通接続され、ユニットは撮影可能なカメラレンズ、イメージセンサ、ジャイロセンサ、フラッシュＬＥＤ、ＬＥＤモジュールで構成し、サブユニットは、モーター、小ギア、バッテリー、外部電源ユニット、タッチパネルを搭載した液晶画面、内部記録媒体及び外部記録媒体用スロット、無線モジュール、電源ユニット、バッテリーで構成し、支柱を軸に、サブユニットからユニットを、３６０度の範囲で縦回転に稼動する事を特徴とする卓上カメラ。
【請求項２】
縦回転されたユニットの傾き具合をサブユニットにあるジャイロセンサで自動検出し、カメラレンズから入手する撮影映像データの上下左右位置をジャイロセンサの判定により修正し、撮影映像データをサブユニットの液晶画面や、サブユニットの無線モジュールを使用してスマートフォンの画面へと送り表示する事を特徴とする請求項１記載の卓上カメラ
【請求項３】
サブユニットにあるタッチパネルを搭載した液晶画面のタッチパネルからの操作、またはサブユニットの無線モジュールを介したスマートフォン上の液晶画面からの無線操作にて、サブユニットにあるモーターを駆動し、モーターの小ギアから、サブユニットにある大ギアを介するユニットのカメラレンズ２の撮影角度の自動回転調整の操作と、ユニットのカメラレンズの撮影を操作する事を特徴とする請求項１記載の卓上カメラ
【請求項４】
ユニットのカメラレンズで撮影された撮影映像データは、サブユニットにある内部記録媒体や外部記録媒体に保存し、サブユニットの無線モジュールでスマートフォンへと送られ、スマートフォンの内部記録媒体に保存する事を特徴とする請求項１記載の卓上カメラ。
【発明の詳細な説明】
【技術分野】
【０００１】  本考案はスマートフォン用の卓上カメラに関する。
【背景技術】
【０００２】  近年のスマートフォンの需要は高まり、無線通信やネットワークインフラ環境の技術向上により、様々な使用用途が求められている。
【発明の開示】
【発明が解決しようとする課題】
【０００３】  スマートフォン上にて撮影操作や撮影角度の調整が可能な卓上カメラを提供する。
【課題を解決する為の手段】
【０００４】  ユニット１とサブユニット５は支柱８により内部で貫通接続され、ユニット１は撮影可能なカメラレンズ２、イメージセンサ、ジャイロセンサ、フラッシュＬＥＤ、ＬＥＤモジュールで構成し、サブユニット５は、モーター４、小ギア７、バッテリー、外部電源ユニット、タッチパネルを搭載した液晶画面６、内部記録媒体及び外部記録媒体用スロット、無線モジュール、電源ユニット、バッテリーで構成し、支柱８を軸に、サブユニット５からユニット１を、３６０度の範囲で縦回転に稼動し、縦回転されたユニット１の傾き具合をサブユニット５にあるジャイロセンサで自動検出し、カメラレンズ２から入手する撮影映像データの上下左右位置をジャイロセンサの判定により修正し、撮影映像データを、サブユニット５の液晶画面６や、サブユニット５の無線モジュールを使用してスマートフォンの画面へと送り表示する。サブユニット５にあるタッチパネルを搭載した液晶画面６のタッチパネルからの操作、またはサブユニット５の無線モジュールを介したスマートフォン上の液晶画面からの無線操作にて、サブユニット５にあるモーター４を駆動し、モーター４の小ギア７から、サブユニット１にある大ギア３を介するユニット１のカメラレンズ２の撮影角度の自動回転調整、ユニット１のカメラレンズ２の撮影の操作が可能である。ユニット１のカメラレンズ２で撮影された撮影映像データは、サブユニット５にある内部記録媒体や外部記録媒体に保存し、サブユニット５の無線モジュールでスマートフォンへと送られ、スマートフォンの内部記録媒体に保存される。
【発明の効果】
【０００５】  スマートフォン端末の通信手段とスマートフォン上から操作できる卓上カメラを併用する事で、様々な使用用途が考えられる。
【０００６】  例えば外出時における家の様子を、スマートフォン上から家にある卓上カメラを起動操作する事で、卓上カメラのユニット１のカメラレンズ２から入手する撮影映像データを、サブユニット５の無線モジュールで、無線ＬＡＮを介し、スマートフォンへと送り込み、スマートフォンの画面で確認ができる。卓上カメラで撮影される撮影映像データは、スマートフォン上の操作で、ユニット１のカメラレンズ２の回転角度を回転移動する事で、３６０度の縦の範囲で撮影が可能である。
【０００７】  ユニット１にあるジャイロセンサにより、スマートフォン上から操作するユニット１のカメラレンズ２の回転する角度や傾き具合を検出し、画面の上下左右判定を行う事で、サブユニット５の液晶画面６や、スマートフォン上の画面へと送る撮影映像データの修正表示を行う。
【０００８】  固定台１０から伸縮アーム９で撮影距離を調整し、フォトアルバムや新聞雑誌等の紙媒体の撮影を、一定距離を保ちながら撮影する事が可能である。カメラレンズ２で撮影される撮影映像データは、内部記録媒体や外部記録媒体にて記録、もしくはサブユニット５の無線モジュールを用いスマートフォンへと送られ、スマートフォン上から卓上カメラの撮影操作や、ユニット１のカメラレンズ２の回転角度の調整、撮影映像データの確認、受信ができる。
【０００９】  また、ユニット１のカメラレンズ２を撮影者本人に向けることで、ＷＥＢカメラの使い方ができる。ユニット１のカメラレンズ２で撮影された撮影映像データは、サブユニット５の無線モジュールからスマートフォンに送られ、スマートフォンの通信手段を使用して別のスマートフォン端末に繋ぐ事で、リアルタイムの映像をスマートフォン同士で受信送信が可能となる。
【発明を実地する為の最良の形態】
【００１０】  スマートフォン用卓上カメラの固定台１０を、机やテーブルの等の平坦な場所に設置をし、伸縮アーム９にてアーム部分の伸縮、傾きの調整を行う。撮影する対象の距離や高さ、傾き等の様子は、ユニット１のカメラレンズ２より撮影される撮影映像データを、サブユニット５の液晶画面６、もしくはサブユニット５の無線モジュールを使用してスマートフォンへと送り、スマートフォン上の液晶画面で確認し、各種撮影位置の調整を行う。
【００１１】  カメラレンズ２を備えたユニット１は、支柱８を軸に３６０度の縦の範囲で回転できる構造になっており、サブユニット５のモーター４にて、小ギア７から大ギア３を介するユニット１のカメラレンズ２の回転角度を、サブユニット５の液晶画面６のタッチパネル上からの回転操作、もしくはサブユニット５の無線モジュールを用い、スマートフォン上の液晶画面からの回転操作が行える。
【００１２】  ユニット１のカメラレンズ２からリアルタイムで入手する撮影映像データをサブユニット５の液晶画面６、もしくはサブユニット５の無線モジュールからスマートフォンへと送り、それぞれの液晶画面に表示し、写真や動画の撮影ポイントを調整し、液晶画面６のタッチパネル上から撮影ボタンを押しての撮影操作、もしくはスマートフォン上の液晶画面から撮影ボタンを押しての撮影操作を行う。
【００１３】  撮影された撮影映像データは、サブユニット５にある内部記録媒体や外部記録媒体にて記録保存、もしくはサブユニット５にある無線モジュールを使用してスマートフォンへ送り、スマートフォンの内部記録媒体へ記録保存される。
【図面の簡単な説明】
【００１４】
【図１】  スマートフォン用卓上カメラの正面図である。
【図２】  スマートフォン用卓上カメラのカメラレンズを下に向けた状態を示した正面図である。
【符号の説明】
【００１５】１  ユニット
２  カメラレンズ
３  大ギア
４  モーター
５  サブユニット
６  液晶画面
７  小ギア
８  支柱
９  伸縮アーム
１０  固定台
【図１】
2017134379.tif 000003
【図２】
2017134379.tif 000004